(57)【特許請求の範囲】
【請求項１】
左右一対の縦枠材と、該両縦枠材の上下両端側を左右に連結する上横枠材及び下横枠材とを含む外枠を備え、
前記下横枠材は前記外枠を遊技島の受け枠に固定する場合に釘打ち可能な釘打ち部材を備えた遊技機において、
前記下横枠材は左右方向に長い下本体部と、該下本体部の左右両端から起立して前記縦枠材が外側から取り付けられる側面取り付け部と、前記下本体部の前側から起立して左右の前記側面取り付け部の前部間を連結する前面取り付け部とを一体的に備えた合成樹脂製であり、
前記下本体部は前記各側面取り付け部の下端部側から中央側へと伸びる左右段部と、前記前面取り付け部の後側で前記左右段部間に設けられ且つ前記釘打ち部材が嵌め込まれる凹部とを備え、
前記左右段部の下側から前記縦枠材の外側下部に跨がって配置され且つ前記左右段部及び前記側面取り付け部に対してネジにより着脱自在に固定される連結金具を備えた
ことを特徴とする遊技機。
【発明の詳細な説明】
【技術分野】
【０００１】
本発明は、パチンコ機、アレンジボール機等の遊技機に関するものである。
【背景技術】
【０００２】
遊技機、例えばパチンコ機等の弾球遊技機は、矩形枠状の外枠と、この外枠に開閉・着脱自在に枢着された前枠とを備え、その前枠側に遊技盤、ガラス扉、発射手段等が装着されている。外枠は左右一対の縦枠材と、この両縦枠材の上下端間を左右に連結する上横枠材及び下横枠材と、両縦枠材の前面下部に左右方向に配置された前横枠材とを備え、その左側の縦枠材にヒンジを介して前枠が開閉・着脱自在に枢着されている。
【０００３】
この弾球遊技機を遊技ホールの遊技島に設置する場合には、外枠を遊技島の受け枠内に嵌め込んだ後、その上横枠材及び下横枠材を受け枠の上枠部及び下枠部に釘付けにより固定する。この場合、従来の外枠は補強金具等を除く略全体が木材製であるため、その下横枠材を受け枠の下枠部にそのまま釘付け可能であったが、近年のパチンコ機は、合成樹脂材又は金属材により一体に成型された下横枠材を採用する傾向にあり、下横枠材自体を釘付けで受け枠に固定することはできない。
【０００４】
そこで、内周の係合縁を有する取り付け孔を下横枠材に左右方向に複数個設けて、その係合縁に係合する係合溝を有する釘打ち部材を各取り付け孔に嵌め込み、その各釘打ち部材に釘を打ち付けて下横枠材を受け枠の下枠部に固定する方法を採用している（特許文献１）。
【先行技術文献】
【特許文献】
【０００５】
【特許文献１】特開２００８−５９３７号公報
【発明の概要】
【発明が解決しようとする課題】
【０００６】
従来の固定方法では、取り付け孔、釘打ち部材が下横枠材の左右方向に複数個ある上に、下横枠材は取り付け孔の内周に係合縁を、釘打ち部材は外周に係合溝を有する構造であるため、構造的に複雑であって製作コストがアップする欠点がある。
【０００７】
また各釘打ち部材から受け枠の下枠部に跨がって釘を打ち付けてはいるものの、取り付け孔の内周の係合縁と釘打ち部材の外周の係合溝との係合構造を介して下横枠材を受け枠の下枠部に固定するため、外枠を受け枠に確実に固定し難いという問題がある。
【０００８】
即ち、下横枠材には上下方向の厚さに限界があり、その厚さ内に収まるように取り付け孔の内周に係合縁を設け、この係合縁に対応して釘打ち部材の外周に係合溝を設けるため、両者の係合部分の強度を十分に確保することが困難である。一方、最近のパチンコ機では遊技盤が重量的に非常に重たくなる傾向にあり、遊技盤を装着した状態で前枠を開閉する際に、遊技盤を含む前枠側の全荷重が外枠に対して加わるが、その全荷重を複数個の釘打ち部材の係合部分を介して支持することになる。このため従来の固定方法では、外枠を受け枠に対して確実に固定できず、設置後に外枠の取り付け姿勢に狂いが生じ易くなる等の問題がある。
【０００９】
本発明は、このような従来の問題点に鑑み、遊技島の受け枠に外枠を固定する際に、外枠の下横枠材を確実に固定できる遊技機を提供することを目的とする。
【課題を解決するための手段】
【００１０】
本発明は、左右一対の縦枠材と、該両縦枠材の上下両端側を左右に連結する上横枠材及び下横枠材とを含む外枠を備え、前記下横枠材は前記外枠を遊技島の受け枠に固定する場合に釘打ち可能な釘打ち部材を備えた遊技機において、前記下横枠材は左右方向に長い下本体部と、該下本体部の左右両端から起立して前記縦枠材が外側から取り付けられる側面取り付け部と、前記下本体部の前側から起立して左右の前記側面取り付け部の前部間を連結する前面取り付け部とを一体的に備えた合成樹脂製であり、前記下本体部は前記各側面取り付け部の下端部側から中央側へと伸びる左右段部と、前記前面取り付け部の後側で前記左右段部間に設けられ且つ前記釘打ち部材が嵌め込まれる凹部とを備え、前記左右段部の下側から前記縦枠材の外側下部に跨がって配置され且つ前記左右段部及び前記側面取り付け部に対してネジにより着脱自在に固定される連結金具を備えたものである。
【発明の効果】
【００１３】
本発明によれば、遊技島の受け枠に外枠を固定する際に、外枠の下横枠材を確実に固定できる利点がある。
【図面の簡単な説明】
【００１４】
【図１】本発明の第１の実施形態を示するパチンコ機の正面図である。
【図２】同パチンコ機の背面図である。
【図３】同パチンコ機の一部切欠き側面図である。
【図４】同外枠の分解斜視図である。
【図５】同外枠の下部側の分解斜視図である。
【図６】同要部の側面断面図である。
【図７】同要部の正面断面図である。
【図８】同要部の平面断面図である。
【図９】同外枠の取り付け状態の正面図である。
【図１０】本発明の第２の実施形態を示す要部の側面断面図である。
【図１１】同要部の正面断面図である。
【図１２】本発明の第３の実施形態を示す要部の側面断面図である。
【図１３】同要部の平面断面図である。
【図１４】本発明の第４の実施形態を示す要部の側面断面図である。
【図１５】同要部の正面断面図である。
【図１６】本発明の第５の実施形態を示す要部の側面断面図である。
【図１７】同要部の一部破断平面図である。
【図１８】同要部の正面断面図である。
【図１９】同下連結金具の斜視図である。
【図２０】本発明の第６の実施形態を示す正面断面図である。
【図２１】本発明の第７の実施形態を示す平面断面図である。
【発明を実施するための形態】
【００１５】
以下、本発明の各実施形態を図面に基づいて詳述する。図１〜図９は本発明をパチンコ機に採用した第１の実施形態を例示する。パチンコ機１は、図１に示すように矩形枠状の外枠２と、この外枠２の左側の上下のヒンジ３，４を介して開閉自在及び着脱自在に枢着された前枠５とを備えている。前枠５にはガラス扉６及び前面板７が装着され、その裏側に遊技盤８が着脱自在に装着されている。
【００１６】
前面板７には、発射用の遊技球を貯留するための上皿９が装着されている。前枠５の下部には、余剰球を貯留するための下皿１０が装着され、この下皿１０の側方に発射手段１１の発射ハンドル１２が配置されている。発射手段１１は、発射ハンドル１２を操作したときに駆動される打撃槌を備え、発射レール上に１個ずつ供給される遊技球を打撃槌で打撃して遊技盤８側へと発射させるようになっている。
【００１７】
遊技盤８の前面には、発射手段１１から発射された遊技球を案内するガイドレール１３が環状に装着され、そのガイドレール１３の内側の遊技領域１４内に液晶表示手段１５、第１図柄始動手段１６、可変入賞手段１７、第２図柄始動手段１８、普通入賞手段１９等の複数の遊技部品が装着されている。
【００１８】
前枠５の裏側には、図２に示すように、遊技盤８を裏側から押さえる裏機構板２０が開閉自在に装着されている。裏機構板２０には開口部２１が形成され、その上側に遊技球タンク２２及びタンクレール２３が、左右方向の一側に球払い出し手段２４が、下側に通路ユニット２５が夫々設けられている。
【００１９】
開口部２１には、遊技盤８の裏側に装着された裏カバー２６が嵌合されている。裏カバー２６は、遊技盤８に装着された液晶表示手段１５、第１図柄始動手段１６、可変入賞手段１７等の各遊技部品を裏側から覆うためのもので、遊技盤８に着脱自在に固定されている。また裏カバー２６には主制御基板等の各種制御基板を収納した基板ケース２７〜２９が着脱自在に装着され、その下方近傍では各種制御基板を収納した基板ケース３０，３１が裏機構板２０に着脱自在に装着されている。
【００２０】
外枠２は、図２及び図４に示すように、略平行に配置された左右一対の縦枠材３２と、この両縦枠材３２の上端間を左右に連結する上横枠材３３と、両縦枠材３２の下端間を左右に連結する下横枠材３４と、両縦枠材３２の前面下端部に左右方向に配置された前横枠材３５と、この前横枠材３５の前側に着脱可能に装着された化粧カバー３６とを備えている。
【００２１】
ヒンジ３，４は、図４に示すように、外枠２側のヒンジ板３７ａ，３８ａと、前枠５側のヒンジ板３７ｂ，３８ｂとを備え、外枠２及び前枠５の左側に設けられている。ヒンジ３，４は外枠２のヒンジ板３７ａ，３８ａにより前枠５のヒンジ板３７ｂ，３８ｂを受けるようになっている。上側のヒンジ３では外枠２のヒンジ板３７ａにヒンジ孔３７ｃが設けられ、このヒンジ孔３７ｃに挿通されるヒンジ軸３７ｄが前枠５のヒンジ板３７ｂに下向きに設けられている。また下側のヒンジ４では外枠２のヒンジ板３８ａにヒンジ軸３８ｃが上向きに設けられ、このヒンジ軸３８ｃが挿通するヒンジ孔３８ｄが前枠５のヒンジ板３８ｂに設けられている。
【００２２】
両縦枠材３２は例えば金属製であって、アルミ系合金の押し出し型材、又は板金材等が使用されている。上横枠材３３は木材製であって、縦枠材３２の上端に跨がって左右方向に配置され、その左右両端は上連結金具３９を介して両縦枠材３２の上端に連結されている。なお、上横枠材３３は合成樹脂製、金属製であっても良い。左側の上連結金具３９にヒンジ３のヒンジ板３７ａが一体に設けられている。
【００２３】
下横枠材３４は合成樹脂製であって、図４〜図８に示すように、左右方向の下本体部４１と、この下本体部４１の左右両端から起立する側面取り付け部４２と、下本体部４１の前端から起立して左右の側面取り付け部４２の前端側を左右に連結する前面取り付け部４３とが一体に成型され、その下本体部４１の後部側に板金製の補強部材４４が左右方向に設けられ、また側面取り付け部４２の外側に縦枠材３２が、前面取り付け部４３の前面に前横枠材３５が夫々連結されている。
【００２４】
下本体部４１は図５〜図８に示すように左右方向に長い凹部４５を備え、その凹部４５に木材、合成樹脂材等により構成された左右方向に長い釘打ち部材４６が嵌め込まれている。即ち、凹部４５は前面取り付け部４３と、この前面取り付け部４３の後側で下本体部４１の左右両側に設けられた左右段部４７と、下本体部４１の後側で左右段部４７間に設けられた後段部４８との間に設けられており、凹部４５及びこの凹部４５内に設けられた釘打ち部材４６の左右方向の長さは、その左右両端部が後述する左右の下連結金具４９の近傍に少なくとも達する程度となっている。
【００２５】
この凹部４５は上下方向の外側である下側に固定壁５０を有し、その固定壁５０には釘打ち部材４６の釘打ち箇所に対応して釘挿通孔５１が形成されている。釘打ち部材４６、釘挿通孔５１は、図９に示すように、外枠２を左右の球貸し機５３間で受け枠５４の上枠部５５と下枠部５６との間に挿入して、その上横枠材３３側から上枠部５５に、下横枠材３４側から下枠部５６に夫々釘５７，５８を打ち込んで取り付ける際に、下横枠材３４側の釘５８の打ち込み用として使用するものであって、釘５８が釘挿通孔５１を通るように釘打ち部材４６に釘５８を打ち込むようになっている。
【００２６】
固定壁５０の釘挿通孔５１は、例えば図８に示すように、釘打ち部材４６の釘打ち箇所が左右２箇所の場合には、その各釘打ち箇所毎に対応して２個設けられている。なお、このように釘挿通孔５１を独立して複数個設けることにより、釘挿通孔５１の開口面積が小さくなり、しかも固定壁５０の釘挿通孔５１間に前後方向の連結部分ができるので、下横枠材３４の固定壁５０側の強度が向上するが、釘打ち箇所の全てに対応して左右方向に長い釘挿通孔５１を１個設けてもよい。
【００２７】
下本体部４１には、図７、図８に示すように、凹部４５の左右両側等の適当箇所に、凹部４５内の釘打ち部材４６を着脱自在に固定するための係合爪５２が設けられている。係合爪５２は例えば左右段部４７に設けられており、左右方向の弾性変形により釘打ち部材４６に係脱するようになっている。なお、釘打ち部材４６が凹部４５から脱落しないように固定するための固定手段が係合爪５２により構成されている。
【００２８】
側面取り付け部４２と左右段部４７は図７に示すように略Ｌ字状に構成されており、その左右段部４７の下側が下面取り付け部５９となっている。側面取り付け部４２の外側、下面取り付け部５９の下側に複数個の取り付けボス６０，６１が夫々設けられ、この各取り付けボス６０，６１に螺合するネジ６２，６３により、板金製の下連結金具４９を介して縦枠材３２と下横枠材３４とが着脱自在に連結されている。
【００２９】
下連結金具４９は図５に示すように側面取り付け部４２と下面取り付け部５９とに対応して側板部６４と下板部６５とを略Ｌ字状に備えており、その側板部６４は縦枠材３２の前後方向の複数個の溝部３２ａに収まるように前後方向に複数個に分割され、また下板部６５は矩形状の板状であり、この下板部６５の後端に補強部材４４用の取り付け片６６が設けられている。
【００３０】
縦枠材３２は側面取り付け部４２の前後両側から内側に屈曲する屈曲縁３２ｂを有し、側面取り付け部４２と下連結金具４９の側板部６４との間に介在され、下連結金具４９の側板部６４側から挿通されて取り付けボス６０に螺合するネジ６２により固定されている。下連結金具４９の下板部６５は取り付けボス６１に下側から当接し、その下側から挿通されて取り付けボス６１に螺合するネジ６３により固定されている。ヒンジ板３８ａは縦枠材３２に沿って屈曲する取り付け片３８ｅを有し、その取り付け片３８ｅと下連結金具４９の側板部６４とが縦枠材３２を挟んでネジ３８ｆにより結合されている。なお、ネジ３８ｆは下連結金具４９の側板部６４側から縦枠材３２に挿通されてヒンジ板３８ａの取り付け片３８ｅに螺合されている。
【００３１】
前面取り付け部４３は側面取り付け部４２間の左右方向の略全長で前側に屈曲する屈曲縁４３ａが上下両側に設けられると共に、前側に突出する複数個の取り付けボス４３ｂが設けられている。前横枠材３５は合成樹脂製であって、左右両端部が各縦枠材３２の前面に当接すると共に、前側から挿通されて取り付けボス４３ｂに螺合する複数個のネジ６７により前面取り付け部４３に着脱自在に固定されている。なお、前横枠材３５は左右の縦枠材３２の前面下部に固定できればよく、前面取り付け部４３以外のものを介して取り付けてもよい。
【００３２】
化粧カバー３６は合成樹脂製であって、その前面部の裏側に形成された圧入突起６８を前横枠材３５の圧入孔６９に圧入する圧入手段等の固定手段７０により、前横枠材３５に着脱自在に固定されている。なお、化粧カバー３６は前横枠材３５を前側から覆う前面部３６ａと、前横枠材３５及び前面取り付け部４３を上側から覆う上面部３６ｂと、前横枠材３５及び前面取り付け部４３を下側から覆う下面部３６ｃと、前横枠材３５及び前面取り付け部４３を左右両側から覆う側面部３６ｄとを有する。なお、化粧カバー３６は前横枠材３５に固定できればよく、その固定構造は自在に変更可能である。
【００３３】
補強部材４４は板金材を断面コ字状に屈曲したものであって、下本体部４１の後段部４８に後側から着脱自在に装着され、左右両端部が下連結金具４９の取り付け片６６にネジ７２により着脱自在に固定されている。
【００３４】
このような構成のパチンコ機を遊技島に据え付ける際には、次のように行う。先ず遊技盤８、ガラス扉６等を含む前枠５を外枠２から取り外し、その外枠２を遊技島の受け枠５４の上枠部５５と下枠部５６との間に嵌め込んだ後、図９に示すように、上横枠材３３を上枠部５５に、下横枠材３４を下枠部５６に夫々釘５７，５８により固定する。
【００３５】
このとき上横枠材３３は木材製であるため受け枠５４の上枠部５５に対して任意の箇所で釘５７により容易に固定することができる。また下横枠材３４は合成樹脂製であるにも拘わらず、その凹部４５内に木材製の釘打ち部材４６があり、この釘打ち部材４６に釘５８を打ち込むことにより、下横枠材３４を受け枠５４の下枠部５６に対して容易に固定することができる。
【００３６】
即ち、下横枠材３４には釘挿通孔５１付きの固定壁５０を有する凹部４５があり、その凹部４５内に釘打ち部材４６が嵌め込まれているので、釘挿通孔５１に対応する位置で釘打ち部材４６に釘５８を打ち込むことにより、釘打ち部材４６を介して下横枠材３４を受け枠５４の下枠部５６に固定することができる。
【００３７】
特に釘打ち部材４６に釘５８を打ち込んで下横枠材３４を受け枠５４の下枠部５６に固定する場合、その釘打ち部材４６で凹部４５内の固定壁５０の全周を受け枠５４の下枠部５６側に押さえ付けるため、取り付け孔内に釘打ち部材を嵌め込んで固定する従来のものに比較して構造的にも簡単であり、下横枠材３４を容易且つ確実に受け枠５４の下枠部５６に固定することができる。このため遊技盤８側の重量が嵩むような場合でも、設置後の外枠２の姿勢が安定し、遊技盤８の取り付け姿勢の狂い等を防止できる。
【００３８】
また下横枠材３４は上面側が開口し且つ固定壁５０に釘挿通孔５１を有する凹部４５を備え、その凹部４５内に上側から釘打ち部材４６を着脱自在に嵌め込んでいるので、下横枠材３４に対する釘打ち部材４６の装着も容易にできる。しかも、凹部４５内の釘打ち部材４６は係合爪５２等の係合構造により固定しているため、運搬等に当たっても凹部４５内の釘打ち部材４６が脱落する等の惧れもなく容易に取り扱うことができる。更に釘打ち部材４６を左右方向に長く構成すれば、この釘打ち部材４６によって合成樹脂製の下横枠材３４を補強することもできる。
【００３９】
図１０及び図１１は本発明の第２の実施形態を例示する。この実施形態では、下横枠材３４の下本体部４１は、前壁部４３ｃと、この前壁部４３ｃの上下方向の外側及び内側の両端から後方に延びる一対の固定壁５０ａ，５０ｂとを備え、その固定壁５０ａ，５０ｂ間に、釘打ち部材４５の挿入用の凹部４５が左右に複数個（例えば２個）形成されている。各凹部４５は後側に開口しており、その開口側に左右方向に補強部材４４が配置されている。固定壁５０ａ，５０ｂには各凹部４５に対応して釘挿通孔５１ａ，５１ｂが設けられている。左右の凹部４５間では、両固定壁５０ａ，５０ｂを上下に連結する補強壁５０ｃが左右方向に複数個設けられている。
【００４０】
この実施形態では、釘５８の打ち込み側となる内側の固定壁５０ｂの釘挿通孔５１ｂの大きさを釘挿通孔５１ａよりも大きくしている。なお、釘挿通孔５１ａ，５１ｂは略同じ大きさでもよいし、大小逆の大きさにしてももよい。また釘挿通孔５１ｂを小さくして、図１１に二点鎖線で示すように内側の固定壁５０ｂと釘５８の頭部５８ａとの間に、固定壁５０ｂに当接する薄板状の当て板５８ｂを介在してもよい。他の構成は第１の実施形態と同様である。
【００４１】
このように下横枠材３４に凹部４５を形成するに際しては、外側及び内側の両側に配置された固定壁５０ａ，５０ｂ間に、後側が開口する凹部４５を設けて、その凹部４５に後側から釘打ち部材４５を挿入するようにしてもよい。この場合には、釘打ち部材４５の上下両側に固定壁５０ａ，５０ｂがあるため、下横枠材３４自体の強度が更に向上する。また釘打ち部材４５がない部分では固定壁５０ａ，５０ｂ間に補強壁５０ｃを設けることにより、強度の向上を図ることができる。
【００４２】
図１２及び図１３は本発明の第３の実施形態を例示する。この実施形態では、下横枠材３４の前端に、凹部４５の前側に前段部７３を介して前横枠材３５が一体に形成され、その前横枠材３５を化粧カバー３６で前側から覆うようになっている。他の構成は第１の実施形態と同様である。この実施形態に示すように前横枠材３５と下横枠材３４は、一体に設けてもよい。  
【００４３】
図１４及び図１５は本発明の第４の実施形態を例示する。この実施形態では、下横枠材３４の下側に板状の補強部材４４が設けられ、釘打ち部材４６を釘付けしたときに、釘打ち部材４６と受け枠５４の下枠部５６との間で固定壁５０と補強部材４４とを挟むようになっている。補強部材４４は下横枠材３４の下本体部４１の下側に左右方向に配置され、左右両端部が下連結金具４９の下板部６５と下面取り付け部５９の取り付けボス６１との間に挟まれてネジ６３により固定されている。
【００４４】
補強部材４４の中間は固定壁５０に沿っており、また釘挿通孔５１内に入る盛り上がり部４４ａを有し、その盛り上がり部４４ａの頂面に釘挿通用の通孔４４ｂが形成されている。補強部材４４の後端には釘打ち部材４６の後側に屈曲する屈曲部４４ｃが設けられ、この屈曲部４４ｃと前段部７３との間に凹部４５が形成されている。他の構成は第２の実施形態と同様である。
【００４５】
このように構成すれば、下横枠材３４の下側に補強部材４４を配置しているので、補強部材４４の左右幅を十分に確保できる。また釘打ち部材４６を釘付けしたときに、凹部４５内の釘打ち部材４６と受け枠５４の下枠部５６との間で固定壁５０、補強部材４４を上下方向に挟むため、外枠２を受け枠５４に固定した状態での外枠２の剛性が更に向上し、遊技盤８等を含む前枠５側の全重量が嵩むような場合にも、外枠２によって前枠５側を確実に支持でき、前枠５側の開閉を容易且つ円滑にすることができる。
【００４６】
なお、補強部材４４の後端の屈曲部４４ｃは省略してもよい。この場合、凹部４５は裏側にも開放するため、釘打ち部材４６を凹部４５内に適宜手段により固定すればよい。また下横枠材３４には、第１の実施形態と同様に凹部４５の後側に後段部４８を設けてもよい。
【００４７】
図１６〜図１９は本発明の第５の実施形態を例示する。この実施形態では、金属製の下横枠材３４、例えばアルミ系合金等の押し出し型材が使用されている。下横枠材３４は前後両側に配置された前段部７３及び後段部４８と、その間に配置された凹部４５とを左右方向の全長に有し、その凹部４５の固定壁５０に釘挿通孔５１が形成されている。
【００４８】
前段部７３には前横枠材３５が一体に設けられ、前横枠材３５の左右両端部の切り欠き部３５ｃに縦枠材３２の屈曲縁３２ｂが挿入されている。釘打ち部材４６は下横枠材３５と略同一長さを有し、凹部４５内で固定壁５０上に当接すると共に、左右両端が縦枠材３２の内面に当接している。
【００４９】
下連結金具４９は縦枠材３２と下横枠材３４との端部間に対応するＬ字状の連結部７４と、この連結部７４から両側に突出し且つ縦枠材３２及び下横枠材３４の溝部３２ａ，３５ａに入る側板部６４及び下板部６５とを有する。そして、側板部６４は左右方向の外側から挿通されたネジ６２ａにより縦枠材３２及び釘打ち部材４６に着脱自在に固定され、また下板部６５が下側から挿通されたネジ６１により下横枠材３４及び釘打ち部材４６に固定されている。なお、側板部６４の上端側は縦枠材３２又はその内側のナット７５に螺合するネジ６２ｂにより縦枠材３２に固定されている。
【００５０】
下横枠材３４の固定壁５０は前後方向の略中央に下方に突出して受け枠５４の下枠部５６に当接する突条部３５ｂを有し、固定壁５０にはその突状を含む範囲に釘挿通孔５１が設けられている。前横枠材３５の前側には化粧カバー３６が装着されている。他の構成は各実施形態と同様である。
【００５１】
このように下横枠材３４が金属製の場合にも、その上側に凹部４５を設けて釘打ち部材４６を嵌め込むことにより、下横枠材３４が合成樹脂製の場合と同様に実施することができる。また釘打ち部材４６は左右の縦枠材３２間の全長に跨がっており、この釘打ち部材４６の両端部を下横枠材３４、下連結金具４９にネジ６１，６２ａで固定することにより、釘打ち部材４６によって下横枠材３４を補強することができる。しかも、釘打ち部材４６の両端をネジ６２ａ，６２ｂで各縦枠材３２に固定することにより、下横枠材３４が押し出し型材等であっても、その凹部４５内の釘打ち部材４６により左右の縦枠材３２を強固に連結することができる。
【００５２】
図２０は本発明の第６の実施形態を例示する。この実施形態の上横枠材３３は合成樹脂製（又は金属製）であって、上下方向の外側である上側に固定壁５０を有し且つ下側に開口する凹部４５が設けられ、その凹部４５内に木材製の釘打ち部材４６が嵌め込まれている。固定壁５０には釘挿通孔５１が設けられている。その他の構成は第１の実施形態の下横枠材３４の場合と略同様である。
【００５３】
このように上横枠材３３が合成樹脂製の場合にも、その上横枠材３３に釘挿通孔５１、固定壁５０を有する凹部４５を設け、この凹部４５内に釘打ち部材４６を配置することより、その釘打ち部材４６に釘を打ち付けることによって、上横枠材３３を受け枠５４の上枠部５５に固定することができる。
【００５４】
図２１は本発明の第７の実施形態を例示する。この実施形態では、釘打ち部材４６の釘打ち箇所を示す表示７７が下横枠材３４の上面等の適当箇所に設けられており、その表示７７に対応して凹部４５内の固定壁５０に釘挿通孔５１が形成されている。釘挿通孔５１は前後方向の長孔状に構成されている。他の構成は各実施形態と同様である。
【００５５】
このように下横枠材３４（又は上横枠材３３）に釘打ち箇所を示す表示７７を設けることにより、釘打ち部材４６に対して釘５８を打ち込むときの位置が略一定するため、各釘挿通孔５１を前後方向の長孔にする等、その開口面積を小さくすることが可能であり、固定壁５０の強度を増大させることができる。なお、釘打ち箇所の表示７７は、釘打ち部材４６自体に設けてもよい。
【００５６】
以上、本発明の各実施形態について詳述したが、本発明はこの各実施形態に限定されるものではなく、本発明の趣旨を逸脱しない範囲で種々の変更が可能である。例えば、釘打ち部材４６は板状の木材が適当であるが、剛性を有する合成樹脂材により構成する場合には、その合成樹脂製の釘打ち部材４６の釘打ち箇所に予め釘孔を設けておき、その釘孔に沿って釘打ち部材４６に釘を打ち込むようにしてもよい。
【００５７】
また第１〜第５の実施形態は外枠２の下横枠材３４について、第６の実施形態は外枠２の上横枠材３３について夫々例示している。これらの各実施形態からも判るように、上横枠材３３、下横枠材３４の何れか一方が合成樹脂製又は金属製の場合でもよいし、またその両方が合成樹脂製又は金属製の場合でもよい。上横枠材３３、下横枠材３４が金属製の場合、実施形態に例示するように押し出し型材を利用してもよいし、板金材を折り曲げ加工、プレス加工したものでもよい。縦枠材３２は木材製でもよいし、金属製でもよい。
【００５８】
固定壁５０，５０ａ，５０ｂは上下方向の外側のみでもよいし、上下方向の外側及び内側の両側に設けてもよい。従って、上下方向の外側及び内側の内、少なくとも外側に固定壁５０，５０ａがあればよい。また上下方向の外側及び内側の両側に固定壁５０ａ，５０ｂを設ける場合、その両固定壁５０ａ，５０ｂ間の凹部４５は前後方向の後側又は前側の何れか一方に開口すればよい。
【００５９】
また実施形態ではパチンコ機について例示しているが、パチンコ機等の弾球遊技機は勿論のこと、その他のスロットマシン等の各種の遊技機にも採用可能であることは云うまでもない。
【符号の説明】
【００６０】
２  外枠
３２  縦枠材
３３  上横枠材
３４  下横枠材
３５  前横枠材
３６  化粧カバー
４４  補強部材
４５  凹部
４６  釘打ち部材
４９  下連結金具
５０  固定壁
５１  釘挿通孔
５４  受け枠
【図１】
0005980886.tif 000002
【図２】
0005980886.tif 000003
【図３】
0005980886.tif 000004
【図４】
0005980886.tif 000005
【図５】
0005980886.tif 000006
【図６】
0005980886.tif 000007
【図７】
0005980886.tif 000008
【図８】
0005980886.tif 000009
【図９】
0005980886.tif 000010
【図１０】
0005980886.tif 000011
【図１１】
0005980886.tif 000012
【図１２】
0005980886.tif 000013
【図１３】
0005980886.tif 000014
【図１４】
0005980886.tif 000015
【図１５】
0005980886.tif 000016
【図１６】
0005980886.tif 000017
【図１７】
0005980886.tif 000018
【図１８】
0005980886.tif 000019
【図１９】
0005980886.tif 000020
【図２０】
0005980886.tif 000021
【図２１】
0005980886.tif 000022